(57)【要約】      （修正有）【課題】照明取付部材の取付穴に回転によって取付ける際に、カバーがハウジングから外れるのを極力防止できる照明ユニットを提供する。【解決手段】底壁１４と底壁１４より立設する一対の立設壁である側壁１５に囲まれた部品収容室を有し、部品収容室に、光源である発光ダイオード２と、発光ダイオード２から外部間の回路を構成する回路体である回路基板３及びバスバー３０とを収容するハウジング１０と、ハウジング１０にロック手段２０によって装着されて部品収容室の開口を塞ぎ、照明取付部材の取付穴に回転で取付けできるカバー側取付部５５を有するカバー５０とを備える。ハウジング１０の一対の側壁１５には、変形規制用溝２１が設けられる。カバー５０には、変形規制用溝２１に入り込む変形規制用リブ５４が設けられる。【選択図】図１
2018118688.tif 000002
【特許請求の範囲】
【請求項１】
底壁と前記底壁より立設する一対の立設壁に囲まれた部品収容室を有し、前記部品収容室に光源と前記光源から外部間の回路を構成する回路体とを収容するハウジングと、
前記ハウジングにロック手段によって装着されて前記部品収容室の開口を塞ぎ、照明取付部材の取付穴に回転で取付けできるカバー側取付部を有するカバーとを備え、
前記ハウジングの一対の前記立設壁には変形規制用溝が設けられ、前記カバーには前記変形規制用溝に入り込む変形規制用リブが設けられたことを特徴とする照明ユニット。
【請求項２】
請求項１記載の照明ユニットであって、
前記ロック手段は、前記ハウジングの一対の前記立設壁の内面側に設けられ、内側に向かって突出するロック用突起と、前記カバーの外側面に設けられ、外側に向かって突出するロック爪とを有することを特徴とする照明ユニット。
【請求項３】
請求項１又は請求項２記載の照明ユニットであって、
前記カバーは、一対の前記立設壁の内面に入り込む位置で前記ハウジングに装着されていることを特徴とする照明ユニット。
【請求項４】
請求項１〜請求項３記載の照明ユニットであって、
前記部品収容室の開口は、一対の前記立設壁の上面と側面の二面が連通した領域であることを特徴とする照明ユニット。
【発明の詳細な説明】
【技術分野】
【０００１】
本発明は、車両の室内等に使用される照明ユニットに関する。
【背景技術】
【０００２】
例えば、車両には、種々の場所（ドアカーテシー照明、足元照明、マップ照明、充電口照明等）に照明ユニットが設置される。そして、照明ユニットの取付構造にも種々の構造がある。例えば、発光面となるカバーが外部より目立たない位置に配置される照明ユニットでは、照明取付部材である車体パネルに取付穴を開口し、この取付穴に取付ける構造のものがある（特許文献１参照）。
【０００３】
特許文献１に開示された照明ユニットは、光源等を部品収容室に収容したハウジングと、部品収容室の開口を塞ぐようにしてハウジングに装着されたカバーとを有する。このカバーには、照明取付部材の取付穴に取付けできるカバー側取付部が設けられている。カバー側取付部は、弾性係止爪を有し、取付穴を中心としてカバー側取付部を回転させることで弾性係止爪が取付穴に係止される。
【０００４】
カバーの取付け作業時には、弾性係止爪を弾性変形させる必要がある等の理由によって、カバーには照明取付部材からの回転反力が作用するが、カバーがハウジングの外周を被っているため、ハウジングが変形せずに、カバーが脱落することがない。
【先行技術文献】
【特許文献】
【０００５】
【特許文献１】特開２００１−２４３８２９号公報
【発明の概要】
【発明が解決しようとする課題】
【０００６】
ところで、照明ユニットのコンパクト化のために、カバーがハウジングの外側を被う構造ではなく、例えば、カバーをハウジングの部品収容室の開口寸法と同じ寸法にしたいという要請がある（図２４（ｃ）のような構造）。カバーがハウジングより突出しないため、その分照明ユニットのコンパクト化が可能である。
【０００７】
しかし、このような構造にすると、カバーがハウジングを外側から拘束しないため、ハウジングが変形し易い構造となる。すると、照明ユニットを照明取付部材の取付穴に取り付ける際の回転反力によってハウジングが変形し、カバーがハウジングより外れる恐れがある。
【０００８】
そこで、本発明は、前記した課題を解決すべくなされたものであり、照明取付部材の取付穴に回転によって取付けする際に、カバーがハウジングから外れるのを極力防止できる照明ユニットを提供することを目的とする。
【課題を解決するための手段】
【０００９】
本発明は、底壁と前記底壁より立設する一対の立設壁に囲まれた部品収容室を有し、前記部品収容室に光源と前記光源から外部間の回路を構成する回路体とを収容するハウジングと、
前記ハウジングにロック手段によって装着されて前記部品収容室の開口を塞ぎ、照明取付部材の取付穴に回転で取付けできるカバー側取付部を有するカバーとを備え、
前記ハウジングの一対の立設壁には変形規制用溝が設けられ、前記カバーには前記変形規制用溝に入り込む変形規制用リブが設けられたことを特徴とする照明ユニットである。
【発明の効果】
【００１０】
本発明によれば、ハウジングを回転し、照明取付部材の取付穴に回転取付けする時には、ハウジングがカバーより回転反力を受けるが、回転反力を一対の立設壁の変形規制用溝の面で受けるため、回転反力が一対の立設壁を開く方向に作用せず、カバーがハウジングから外れるのを極力防止できる。
【図面の簡単な説明】
【００１１】
【図１】本発明の一実施形態を示し、照明ユニットの分解斜視図である。
【図２】本発明の一実施形態を示し、（ａ）は照明ユニットの全体斜視図、（ｂ）は変形規制用溝と変形規制用リブの部位の拡大側面図、（ｃ）は変形規制用溝と変形規制用リブの部位の分解斜視図である。
【図３】本発明の一実施形態を示し、（ａ）は図２のＡ−Ａ線断面図、（ｂ）は図２のＢ−Ｂ線断面図である。
【図４】本発明の一実施形態を示し、ハウジングの斜視図である。
【図５】本発明の一実施形態を示し、ハウジングの一部破断斜視図である。
【図６】本発明の一実施形態を示し、ハウジングの側面図である。
【図７】本発明の一実施形態を示し、ハウジングの平面図である。
【図８】本発明の一実施形態を示し、一対のバスバーの斜視図である。
【図９】本発明の一実施形態を示し、回路基板の斜視図である。
【図１０】本発明の一実施形態を示し、カバーの斜視図である。
【図１１】本発明の一実施形態を示し、インナー部材の斜視図である。
【図１２】本発明の一実施形態を示し、照明ユニットの組付け過程で、バスバーを把持した状態を示す斜視図である。
【図１３】本発明の一実施形態を示し、照明ユニットの組付け過程で、バスバーをバスバーガイドレール上に載置した状態を示す斜視図である。
【図１４】本発明の一実施形態を示し、照明ユニットの組付け過程で、回路基板が挿入完了位置に位置する状態を示す斜視図である。
【図１５】本発明の一実施形態を示し、照明ユニットの組付け過程で、回路基板が挿入完了位置に位置する状態を示す断面図である。
【図１６】本発明の一実施形態を示し、照明ユニットの組付け過程で、カバーの装着前を示す斜視図である。
【図１７】照明ユニットの取り付け過程で、インナー部材をハウジングに組み付けた状態を示す平面図である。
【図１８】本発明の一実施形態を示し、照明取付部材の取付穴周辺の正面図である。
【図１９】本発明の一実施形態を示し、（ａ）はカバーの円筒部及びカバー側取付部を取付穴に挿入した状態を示す裏面図、（ｂ）は（ａ）のＤ１−Ｄ１線断面図である。
【図２０】本発明の一実施形態を示し、（ａ）は照明ユニットを９０度回転し、カバー側取付部が取付穴に取付けられた状態を示す裏面図、（ｂ）は（ａ）のＤ２−Ｄ２線断面図である。
【図２１】本発明の一実施形態を示し、（ａ）は照明ユニットの回転取付け時にカバーとハウジング間に作用する力を示す図、（ｂ）は（ａ）の要部を示す図、（ｃ）は変形規制溝と変形規制リブがない照明ユニットの場合にあって、回転時にカバーとハウジング間に作用する力を示す図である。
【図２２】（ａ）、（ｂ）は変形例のカバー側取付部を適用したカバーの斜視図である。
【発明を実施するための形態】
【００１２】
以下、本発明の実施形態を図面に基づいて説明する。
【００１３】
（全体概略構成）
図１〜図３に示すように、照明ユニット１は、光源である発光ダイオード２と、発光ダイオード２と外部間の回路を構成する回路体である回路基板３及び一対のバスバー３０と、発光ダイオード（ＬＥＤ）２、回路基板３及び一対のバスバー３０を収容するハウジング２０と、このハウジング２０に装着されるカバー５０と、ハウジング２０内に収容されるインナー部材６０とを備えている。以下、各部品の詳細な構成を説明する。
【００１４】
（ハウジング）
図４〜図７等に示すように、ハウジング１０は、光を透過させない部材より形成されている。ハウジング１０は、概略外形が直方体である。ハウジング１０は、部品収容室１１とコネクタ嵌合室１２を有する。部品収容室１１とコネクタ嵌合室１２の間には、仕切壁１３が設けられている。部品収容室１１は、底壁１４と一対の立設壁である側壁１５と仕切壁１３に囲まれており、上面と前面が開口されている。この開口箇所をカバー５０が覆う。部品収容室１１には、発光ダイオード２と、発光ダイオード２が搭載された回路基板３と、バスバー３０とが収容される。
【００１５】
部品収容室１１の底壁１４には、周囲の底面より一段下がった段差によって一対のバスバーガイドレール１６が形成されている。一対のバスバーガイドレール１６は、部品収容室１１の前面側開口より仕切壁１３に向かって延びている。部品収容室１１の底壁１４には、各バスバーガイドレール１６の底面側に押圧部進入溝１８がそれぞれ形成されている。
【００１６】
部品収容室１１の一対の側壁１５の内面には、ロック手段の一方側である一対のロック用突起２０が２箇所に設けられている。各ロック用突起２０は、側壁１５の内面側を切り欠くことで形成されている。つまり、各ロック用突起２０の上面は、他の側壁１５の内面と同じ高さである。
【００１７】
部品収容室１１の一対の側壁１５には、２箇所のロック用突起２０の間の位置に、一対の変形規制用溝２１が１箇所設けられている。各変形規制用溝２１は、上面が開口し、側方から見て四角形である。
【００１８】
部品収容室１１の一対の側壁１５には、一対のインナー部材保持溝２４が設けられている。各インナー部材保持溝２４は、各変形規制用溝２１より下方位置に位置し、変形規制用溝２１に開口している。
【００１９】
仕切壁１３には、その中央位置にインナー部材支持台２２が設けられている。インナー部材支持台２２の後面には、基板位置決め突起２６が突設されている。仕切壁１３には、その左右位置に一対の端子貫通孔２５が設けられている。各端子貫通孔２５は、部品収容室１１とコネクタ嵌合室１２の間を貫通している。又、仕切壁１３及び側壁１５には、部品収容室１１側に突出する一対のバスバー規制壁２７が設けられている。
【００２０】
ハウジング１０の一対の側壁１５には、部品収容室１１の外面側に一対のキャップ用ロック突起２９が設けられている。
【００２１】
（バスバー）
図８等に示すように、各バスバー３０は、所定形状の導電性金属板を折曲することで形成されている。各バスバー３０は、回路基板３に電気的に接続する部位である基板接点部３１と、ハウジング１０に導かれた外部配線（図示せず）に電気的に接続する部位であるタブ端子３２とを有する。基板接点部３１は、連結プレート３３と連結プレート３３を介して互いに間隔を置いて対向配置されたプレート状の固定接点部３４とばね接点部３５を有する。固定接点部３４は、ばね接点部３５よりも長く形成されている。固定接点部３４の先端には、直角に折曲された押圧片部３６が設けられている。押圧片部３６の大きさは、押圧進入溝１８の断面寸法より少しだけ小さく形成されている。押圧片部３６は、その側面と底面が押圧部進入溝１８の側面及び底面に近接しつつ移動する。
【００２２】
ばね接点部３５は、連結プレート３３に片持ち支持されている。ばね接点部３５の先端は、固定接点部３４に向かって湾曲する円弧状に形成されている。ばね接点部３５の円弧状の箇所には、固定接点部３４に向かって突出するインデント部３７が設けられている。
【００２３】
ばね接点部３５には、突起３８が設けられている。バスバー３０がハウジング１０に収容された位置（バスバー挿入完了位置）では、突起３８が仕切壁１３のバスバー規制壁２７に当接する（図１５参照）。
【００２４】
ばね接点部３５には、直角に折曲された把持片部３９が設けられている。把持片部３９は、ハウジング１０内への収容姿勢では、部品収容室１１の上面開口に向かう方向に立設している。
【００２５】
タブ端子３２は、ハウジング１０内の収容位置では、コネクタ嵌合室１２に配置されている。
【００２６】
（発光ダイオード、回路基板）
図９等に示すように、発光ダイオード２は、回路基板３上に搭載されている。
【００２７】
回路基板３には、発光ダイオード２と共に他の電子部品が搭載され、且つ、回路パターンが設けられ、発光ダイオード２の駆動回路が構成されている。回路パターンの一部として一対の接点部３ａが形成されている。一対の接点部３ａは、回路基板３の対応する上下面に配置されている（図面では、裏面の接点部が非表示）。部品収容室１１の収容位置では、バスバー３０の固定接点部３４とばね接点部３５の間に一対の接点部３ａが挟持され、ばね接点部３５のばね復帰力を接点圧として基板接点部３１と回路基板３間が電気的に接続される。
【００２８】
回路基板３は、扁平直方体であり、部品収容室１１への挿入先端面と挿入後端面には、位置決め溝３ｂがそれぞれ設けられている。部品収容室１１の収容位置では、回路基板３の挿入先端面の位置決め溝３ｂに仕切壁１３の基板位置決め突起２６が入り込んでいる。部品収容室１１の収容位置では、回路基板３の挿入後端面の位置決め溝３ｂにインナー部材６０の基板位置決め突起６４が入り込んでいる。
【００２９】
（カバー）
図１０等に示すように、カバー５０は、光を通過させない部材より形成されている。カバー５０は、ハウジング１０の部品収容室１１の上面開口と前面開口に隙間なく入り込むＬ字状の閉塞プレート部５１を有する。閉塞プレート部５１の上面は、ハウジング１０の上面と同じ高さ、つまり、面一である。
【００３０】
閉塞プレート部５１の両側面には、ロック手段の他方側である一対のロック爪５２が２箇所に設けられている。各ロック爪５２は、閉塞プレート部５１の側面より外側に突出している。ハウジング１０のロック用突起２０と、このロック用突起２０に係止するカバー５０のロック爪５２とによってロック手段が構成されている。
【００３１】
閉塞プレート部５１の両側面には、２箇所の一対のロック爪５２の間の位置に、一対の変形規制用リブ５４が突設されている。一対の変形規制用リブ５４は、一対のロック爪５２よりも外側に突出している。
【００３２】
図２に示すように、カバー５０をハウジング１０に装着した状態では、一対の変形規制用リブ５４が一対の変形規制用溝２１に隙間なく配置される。各変形規制用リブ５４の両側の垂直面５４ａと各変形規制用溝２１の両側の垂直面２１ａがそれぞれ当接している。
【００３３】
一対の変形規制用リブ５４の外端面は、ハウジング１０の一対の側壁１５の外面と面一である。
【００３４】
閉塞プレート部５１の上面側に回転支持部である円筒部（筒部）５３が設けられている。円筒部５３は、閉塞プレート部５１の上面より突出している。円筒部５３は、その内部が開口（空間）に形成されている。円筒部５３の外周には、カバー側取付部５５が設けられている。
【００３５】
カバー側取付部５５は、円筒部５３の外周面に沿って設けられている。カバー側取付部５５は、円筒部５３の１８０度対向位置に配置され、円筒部５３の外周より突出する一対の回転ストッパ壁５５ａと、この各回転ストッパ壁５５ａを支持部として円筒部５３の外周面に沿ってそれぞれ延びる弾性円弧アーム部５５ｂと、各弾性円弧アーム５５ｂの先端に設けられた係止爪５５ｃと、閉塞プレート部５１に設けられ、回転ストッパ壁５５ａと係止爪５５ｃの間の位置で、各弾性円弧アーム５５ｂの下方位置に位置する突出する突部５５ｄとを有する。
【００３６】
カバー５０は、円筒部５３の外周に設けられたカバー側取付部５５によって、照明取付部材（例えば車体パネルのトリム）１００の取付穴１０１（図１８に示す）に取り付けされる。取付け手順については、下記する。
【００３７】
カバー５０及び下記するインナー部材６０がハウジング１０に装着された場合には、円筒部５３内からのみ光が発光する発光形態の照明ユニット１となる(図２（ａ）参照）。
【００３８】
（インナー部材）
図１１等に示すように、インナー部材６０は、光を透過させる部材より形成されている。インナー部材６０は、ハウジング１０の部品収容室１１の上面開口にほぼ隙間なく入り込むサイズに形成されている。インナー部材６０には、部品収容室１１に収容された状態で、発光ダイオード２の真上となる位置に周囲より一段高い円形部６１が設けられている。インナー部材６０には、一対のバスバー抜け防止肩面６２が形成されている。インナー部材６０が部品収容室１１に収容された状態では、一対のバスバー抜け防止肩面６２は、バスバー３０の把持片部３９のバスバー抜け側に位置する。
【００３９】
インナー部材６０の両側縁には、一対の側端自重受けリブ６３が突設されている。インナー部材６０の先端部には、先端自重受けリブ６５が設けられている。インナー部材６０が部品収容室１１に収容された状態では、一対の側端自重受けリブ６３が一対のインナー部材保持溝２４に入り込んでその底面に載置され、且つ、先端自重受けリブ６５がハウジング１０のインナー部材支持台２２に載置される。インナー部材６０には、基板位置決め突起６４が設けられている。インナー部材６０が部品収容室１１に収容された状態では、基板位置決め突起６４が回路基板３の挿入後端面の位置決め溝３ｂに入り込む。
【００４０】
インナー部材６０は、一対のバスバー３０、回路基板３が不適正な状態でハウジング１０内に収容されている場合には、第２態様のカバー５０がハウジング１０にロックできないようにする機能、つまり、半嵌合機能を有する。
【００４１】
（照明ユニットの組み付け手順）
次に、照明ユニット１の組み付け手順を説明する。
【００４２】
図１２に示すように、バスバー３０の把持片部３９をチャック治具１１０で把持し、バスバー３０をそのタブ端子３２を先端としてハウジング１０の部品収容室１１のバスバーガイドレール１６に載せる。
【００４３】
図１３に示すように、バスバーガイドレール１６に載せた各バスバー３０の押圧片部３６を矢印方向に押す。すると、各バスバー３０がバスバーガイドレール１６にガイドされて部品収容室１１の奥に向かって移動し、タブ端子３２が仕切壁１３の端子貫通孔２５に進入し、コネクタ嵌合室１２に入り込む。
【００４４】
次に、回路基板３をハウジング１０の部品収容室１１に挿入する。回路基板３の挿入完了位置では、図１４及び図１５に示すように、回路基板３の一対の接点部３ａがバスバー３０の固定接点部３４とばね接点部３５の間に挟持され、基板接点部３１と回路基板３間が電気的に接続される。
【００４５】
次に、図１６に示すように、ハウジング１０の部品収容室１１の上方より、一対の側端自重受けリブ６３を一対のインナー部材保持溝２４に位置合わせして、インナー部材６０を部品収容室１１に挿入する（図１７参照）。
【００４６】
次に、ハウジング１０の部品収容室１１の上方よりカバー５０を組み付ける。すると、カバー５０の変形規制用リブ５４がハウジング１０の変形規制用溝２１に入り込み、且つ、カバー５０の各ロック爪５２が弾性変形でハウジング１０の各ロック用突起２０に係止される。これで、カバー５０を装着した照明ユニット１の組み付けが完了する。
【００４７】
（照明ユニットの取付穴への取付手順）
次に、カバー５０を装着した照明ユニット１を照明取付部材１００の取付穴１０１に取付ける手順を説明する。図１８に示すように、照明取付部材（例えば車体パネルのトリム）１００の取付穴１０１は、小径部１０１ａと大径部１０１ｂが組み合わされ、小径部１０１ａの外縁側が挟持部１０１ｃとされた変則円形の穴である。
【００４８】
先ず、カバー側取付部５５を大径部１０１ｂの位置に合わせ、取付穴１０１に円筒部５３と共にカバー側取付部５５を挿入し、図１９（ａ）、（ｂ）に示すように、カバー側取付部５５が照明取付部材１００の反対面側に突き出る位置まで挿入する。次に、カバー側取付部５５を回転する。すると、弾性円弧アーム部５５ｂが弾性変形し、係止爪５５ｃが挟持部１０１ｃに載り、カバー５０の回転が許容される。係止爪５５ｃが挟持部１０１ｃを乗り越える位置まで回転する。すると、図２０（ａ）、（ｂ）に示すように、弾性円弧アーム部５５ｂが弾性復帰変形し、突部５５ｄと弾性円弧アーム部５５ｂが挟持１０１ｃの両面間を挟み込み、且つ、カバー側取付部５５の回転ストッパ壁５５ａと係止爪５５ｃが挟持部１０１ｃの両端面間を挟み込む。これで、照明ユニット１が照明取付部材１００の取付穴１０１に取り付けされ、照明ユニット１の設置が完了する。
【００４９】
カバー側取付部５５を照明取付部材１００の取付穴１０１０への取付け時には、作業者がハウジング１０を把持し、図２１（ａ）の矢印方向にハウジング１０を回転する。すると、ハウジング１０がカバー５０に回転力を作用し、その際にハウジング１０がカバー５０より回転反力を受ける。この回転反力を一対の側壁１５の変形規制用溝２１の垂直面２１ａで受けるため、回転反力が一対の側壁１５を開く方向に作用しない。従って、ハウジング１０は、一対の側壁１５を開く方向には変形しない。
【００５０】
より詳細には、図２１（ｂ）に示すように、カバー側取付部５５を照明取付部材１００の取付穴１０１０への取付け時には、作業者がハウジング１０を把持し、ハウジング１０を円筒部５３の中心Ｏを回転中心として回転する。すると、ハウジング１０の変形規制用溝２１の垂直面２１ａでカバー５０の変形規制用リブ５４の垂直面５４ａを押圧力Ｆで押圧し、カバー５０に回転力が伝達されてカバー５０が回転する。その際に、ハウジング１０は、カバー５０の変形規制用リブ５４の垂直面５４ａが変形規制用溝２１の垂直面２１ａを押圧する反力Ｒを受けるが、この反力Ｒは、各側壁１５の延設方向であり、ハウジング１０の一対の側壁１５を開く方向（互いに離間する方向）には作用しない。尚、実施形態とは逆方向の回転でハウジング１０に取り付ける構造となっている場合には、上記動作とは反対側の垂直面２１ａ，垂直面５４ａに押圧力Ｆ及び反力Ｒが作用し、同様に、ハウジング１０の一対の側壁１５を開く方向（互いに離間する方向）には作用しない。
【００５１】
図２１（ｃ）に示すように、変形規制用溝２１と変形規制用リブ５４を設けていない場合、ハウジング１０を回転し、照明取付部材１００の取付穴１０１に回転取付けする時には、ハウジング１０がカバー５０に回転力を作用し、その際にハウジング１０がカバー５０より回転反力を受けるが、回転反力を一対の側壁１５の内側面１５ａで受けるため、回転反力が一対の側壁１５を開く方向に作用し、ハウジング１０が一対の側壁１５を開く方向に変形する。
【００５２】
より詳細には、カバー側取付部５５を照明取付部材１００の取付穴１０１０への取付け時には、作業者がハウジング１０を把持し、ハウジング１０を円筒部５３の中心Ｏを回転中心として回転する。すると、ハウジング１０の一対の側壁１５の内側面１５ａがカバー５０の外側面５０ａを押圧力ｆで押圧し、その反力ｒをハウジング１０が受ける。この反力ｒは、一対の側壁１５に直交する方向で回転中心Ｏを通る補助線Ｓを境として、一方側の部位と他方側の部位で互いに逆向きの力となり、ハウジング１０の一対の側壁１５を開く方向（互いに離間する方向）に作用し、ハウジング１０が一対の側壁１５を開く方向に変形する。
【００５３】
（実施形態の効果）
以上、照明ユニット１は、底壁１４と底壁１４より立設する一対の立設壁である側壁１５に囲まれた部品収容室１１を有し、部品収容室１１に光源である発光ダイオード２と発光ダイオード２から外部間の回路を構成する回路体である回路基板３及びバスバー３０とを収容するハウジング１０と、ハウジング１０にロック手段（ロック用突起２０とロック爪５２）によって装着されて部品収容室１１の開口を塞ぎ、照明取付部材１００の取付穴１０１に回転で取付けできるカバー側取付部５５を有するカバー５０とを備え、ハウジング１０の一対の側壁１５には変形規制用溝２１が設けられ、カバー５０には変形規制用溝２１に入り込む変形規制用リブ５４が設けられている。
【００５４】
従って、ハウジング１０を回転し、照明取付部材１００の取付穴１０１に回転取付けする時には、上記したように、ハウジング１０がカバー５０より反力を受けるが、反力を一対の側壁１５の変形規制用溝２１の垂直面２１ａで受けるため、反力が一対の側壁１５を開く方向に作用せず、ロック手段（ロック用突起２０とロック爪５２）が外れて、カバー５０がハウジング１０から外れるのを極力防止できる。
【００５５】
ロック手段は、ハウジング１０の一対の側壁１５の内面側に設けられ、内側に向かって突出するロック用突起２０と、カバー５０の外側面に設けられ、外側に向かって突出するロック爪５２とを有する。
【００５６】
ロック手段は、ハウジング１０の一対の側壁１５間の幅寸法Ｗ（図２（ａ）、図３（ａ）に示す）の範囲内に配置されている。従って、照明ユニット１のコンパクト化になるロック手段であるが、ハウジング１０の一対の側壁１５が開く方向に変形すると、ロック用突起２０とロック爪５２の係止が外れる方向である。しかし、照明取付部材１００の取付穴１０１への回転取付け時には、上記したように、一対の側壁１５を開く方向回転の反力が作用しないため、カバー５０がハウジング１０より外れることを防止できる。従って、照明ユニット１のコンパクト化を図りつつ、照明ユニット１の回転取付け時のカバー５０のはずれ防止を図ることができる。
【００５７】
カバー５０は、一対の側壁１５の内面に入り込む位置でハウジング１０に装着されている。つまり、カバー５０は、ハウジング１０の一対の側壁１５間の幅寸法Ｗ（図２（ａ）、図３（ａ）に示す）の範囲内に配置される。従って、照明ユニット１のコンパクト化になるが、このようなカバー５０にあって、変形規制用溝２１と変形規制用リブ５４を設けていない場合、上記したようにカバー５０がハウジング１０から外れ易い構造となる（図２１（ｃ）の説明参照）。しかし、照明取付部材１００の取付穴１０１への回転取付け時には、上記したように、一対の側壁１５を開く方向の反力が作用しないため、カバー５０がハウジング１０より外れることを防止できる。従って、照明ユニット１のコンパクト化を図りつつ、照明ユニット１の回転取付け時のカバー５０のはずれ防止を図ることができる。
【００５８】
部品収容室１１の開口は、一対の側壁１５の上面と側面の二面が連通した領域である。従って、部品収容室１１に光源である発光ダイオード２、回路体である回路基板３及びバスバー３０を挿入し易いが、ハウジング１０は、一対の側壁１５が開く方向に変形し易い構造となる。しかし、照明取付部材１００の取付穴１０１への回転取付け時には、上記したように、一対の側壁１５を開く方向の反力が作用しないため、カバー５０がハウジング１０より外れることを防止できる。従って、ハウジング１０の部品収容室１１への収容作業性の向上を図りつつ、照明ユニット１の回転取付け時のカバー５０のはずれ防止を図ることができる。
【００５９】
インナー部材６０には、一対のバスバー抜け防止肩面６２と一対の側端自重受けリブ６３と基板位置決め突起６４が設けられている。インナー部材６０を部品収容室１１に収容する際に、一対のバスバー抜け防止肩面６２は、バスバー３０が半挿入状態であればバスバー３０の把持片部３９に干渉し、一対の側端自重受けリブ６３は、ハウジング１０の部品収容室１１の適正位置に収容されていなければ、ハウジング１０のインナー部品保持溝２４より浮き上がり、基板位置決め突起６４は、回路基板３が半挿入状態であれば、回路基板３の位置決め溝３ｂに入り込まず、仮に入り込んだ状態でもインナー部材６０が部品収容室１１に収容されずに浮き上がった状態となる。従って、インナー部材６０は、バスバー３０と回路基板３とハウジング１０間が適正な状態で組み付けられているか否かを検知する機能（半嵌合検知機能）を有する。
【００６０】
インナー部材６０は、ハウジング１０に弾性ロック構造でロックする部品ではなく、ハウジング１０の部品収容室１１内に単に落とし込むことで収容する部品であるため、バスバー３０と回路基板３とハウジング１０間が適正な状態で組み付けられているか否かを、内部に収容された部品である回路基板３やバスバー３０に荷重を作用させることなく検知できる。つまり、回路基板３やバスバー３０に何らのダメージを与えることなく検知できる。
【００６１】
バスバー３０と回路基板３が適正な状態に配置された部品収容室１１にインナー部材６０が収容された場合には、一対の側端自重受けリブ６３が一対のインナー部材保持溝２４に入り込んで載置され、且つ、先端自重受けリブ６５がハウジング１０のインナー部材支持台２２に載置され、インナー部材６２の自重をハウジング１０で受ける。従って、インナー部材６０をハウジング１０に組み込んだ後でも、インナー部材６０の自重が回路基板３や一対のバスバー３０に作用しないため、インナー部材６０が回路基板３やバスバー３０にダメージを与えることがない。
【００６２】
カバー５０は、光を透過しない部材で形成され、取付穴１０１に配置される円筒部５３を有し、円筒部５３の開口を閉塞する光透過性のインナー部材６０がハウジング１０に収容されている。従って、カバー５０の円筒部５３内の開口よりハウジング１０内に塵埃、水等の異物が入るのを防止できる。
【００６３】
インナー部材６０には、一対のバスバー抜け防止肩面６２が設けられている。カバー５０がハウジング１０に装着された状態では、バスバー３０の把持片部３９がバスバー抜け方向に移動するのを阻止できる。
【００６４】
照明ユニット１では、回路基板３の挿入先端面の位置決め溝３ｂにハウジング１０の基板位置決め突起２６が入り込み、回路基板３の挿入後端面の位置決め溝３ｂにインナー部材６０の基板位置決め突起６４が入り込む。従って、回路基板３がハウジング１０の部品収容室１１内に位置決めされた状態で収容される。
【００６５】
（カバー側取付部の変形例）
図２２には、変形例のカバー側取付部５５を適用したカバー５０Ａが示されている。カバー側取付部５５は、前記実施形態のものと同様に、円筒部５３の１８０度対向位置に設けられ、円筒部５３の外周より突出する一対の回転ストッパ壁５５ａを有する。前記実施形態のものは、各回転ストッパ壁５５ａの一方側にのみ弾性円弧アーム５５ｂ、係止爪５５ｃ及び突部５５ｄが設けられていたが、この変形例では、各回転ストッパ壁５５ａの両側に弾性円弧アーム５５ｂ、係止爪５５ｃ及び突部５５ｄが設けられている。
【００６６】
前記実施形態と同一構成箇所には、図面に前記実施形態のものと同じ符号を付して重複説明を省略する。
【００６７】
このカバー５０Ａでは、左右どの方向の回転でも照明取付部材１００の取付穴１０１に取付けできる。従って、左右対称位置に照明取付部材１００が配置され、左右の取付穴１０１に左右同じ向きで照明ユニット１を取付ける場合に、互いに逆回転方向で照明ユニット１を取付けでき、取付け作業性が良い。例えば、車体の左右ドアに対し、左右同じ取付位置で照明ユニット１を取付けする場合に、右ドアでは右回転（左回転）で、左ドアでは左回転（右回転）で取付けできる。
【００６８】
（その他の変形例）
前記実施形態では、ハウジング１０にコネクタ嵌合室１２が設けられ、バスバー３０にタブ端子３２が設けられ、バスバー３０と外部から導かれた電線との間の電気的接続をコネクタ接続によって行うよう構成されているが、コネクタ接続以外で接続しても良い。例えば、バスバー３０に圧接刃端子を設け、バスバー３０と外部から導かれた電線との電線的接続を圧接接続によって行っても良い。
【００６９】
前記実施形態では、回路体は、回路基板３とバスバー３０より構成されているが、これに限定されるものではない。例えば、電子部品が搭載されたバスバー回路体より構成しても良い。この場合には、バスバー回路体に一体にタブ端子や圧接刃端子を設けることが好ましい。
【００７０】
前記実施形態では、カバー５０を装着する場合には、ハウジング１０内にインナー部材６０を収容するよう構成されているが、カバー５０の円筒部５３内に光透過性部材を例えば二色成形によって設けた構成としても良い。
【００７１】
ハウジング１０には、キャップ用ロック突起２９が設けられている。従って、カバー５０の円筒部５３を外側から覆い、円筒部５３からの光を外部に出射するキャップ（図示せず）が装着可能である。照明ユニット１は、キャップを装着することにより、発光形態のバリエーションを増やすことができる。又、キャップの種類を増やすことによっても発光形態のバリエーションを増やすことができる。
【符号の説明】
【００７２】
１  照明ユニット
２  発光ダイオード（光源）
３  回路基板（回路体）
１０  ハウジング
１１  部品収容室
１５  側壁（立設壁）
２０  ロック用突起（ロック手段）
２１  変形規制用溝
３０  バスバー（回路体）
５０，５０Ａ  カバー
５２  ロック爪（ロック手段）
５４  変形規制用リブ
５５  カバー側取付部
６０  インナー部材
１００  照明取付部材
１０１  取付穴
【図１】
2018118688.tif 000003
【図２】
2018118688.tif 000004
【図３】
2018118688.tif 000005
【図４】
2018118688.tif 000006
【図５】
2018118688.tif 000007
【図６】
2018118688.tif 000008
【図７】
2018118688.tif 000009
【図８】
2018118688.tif 000010
【図９】
2018118688.tif 000011
【図１０】
2018118688.tif 000012
【図１１】
2018118688.tif 000013
【図１２】
2018118688.tif 000014
【図１３】
2018118688.tif 000015
【図１４】
2018118688.tif 000016
【図１５】
2018118688.tif 000017
【図１６】
2018118688.tif 000018
【図１７】
2018118688.tif 000019
【図１８】
2018118688.tif 000020
【図１９】
2018118688.tif 000021
【図２０】
2018118688.tif 000022
【図２１】
2018118688.tif 000023
【図２２】
2018118688.tif 000024